Podtech/llm-jp-corpus-v4-ja_patent huggingface dataset:
(57)【要約】      （修正有）【課題】天井点検口の周りの断熱を容易に行い、ブローイングとの取り合いの断熱を容易にすると共に作業性を向上させる。【解決手段】断熱材１の中央をテーパー状に切り抜き、蓋２とする。【選択図】図１
0003122646.tif 000002
【実用新案登録請求の範囲】
【請求項１】
厚み１００ｍｍ、大きさ９００ｍｍ×９００ｍｍの断熱材の中央に上面５００ｍｍ×５００ｍｍ、下面４５０ｍｍ×４５０ｍｍのテーパーを付けて、台形に切り取り蓋にしたことを特徴とする天井点検口用断熱材。
【考案の詳細な説明】
【技術分野】
【００１】本考案は、天井点検口の周りの断熱材に関する。
【背景技術】
【００２】天井裏の断熱にはブローイング等が行われるが、天井点検口の周りは板などでブローイングを止めたりしている。
【考案の開示】
【考案が解決しようとする課題】
【００３】天井点検口の周りの断熱を容易に行い、ブローイングとの取り合いの断熱を容易にする。
【課題を解決するための手段】
【００４】上述の目的を達成する本考案の天井点検口用断熱材は、断熱材１の中央を切り抜き、蓋２とする。
【考案の効果】
【００５】天井点検口の上部に、開口を合わせて断熱材１を置き、周囲をブローイングすることにより気密性能が高められ、蓋２はテーパー状のため、断熱材１との気密性能、断熱性能も充分優れたものにすることができる。しかも、断熱材を切り抜いただけであり、極めて安価であり、構造も簡易なものである。以上から、機密性・断熱性に優れた天井点検口用断熱材を安価に提供することが可能となる。
【考案を実施するための最良の形態】
【００６】以下、本考案の実施の形態を図面に基づき説明する。【００７】図１は本考案の形態に係る、斜視図である。【００８】図１に示すように、断熱材１の中央を、テーパーをつけて切り抜き蓋２とする。
【実施例】
【００９】天井点検口周辺までブローイングを行った時点で、断熱材を点検口の上に設置し取り合いをブローイングすることにより、機密性・断熱性が確保され、又作業性が向上する。【０１０】以上、本考案は実施の形態及び実施例を説明したが、本考案の範囲はこれに限定されるものでない。例えば、断熱材の厚み、大きさは状況に応じて適宜選択されるものである。
【産業上の利用可能性】
【０１１】本考案は天井点検口断熱材として製造、販売する産業分野で利用することができる。
【図面の簡単な説明】
【０１２】
【図１】本考案の第１の実施形態に係る、斜視図である。
【符号の説明】
【０１３】１          断熱材
２          蓋
【図１】
0003122646.tif 000003
(57)【要約】【課題】ワイヤーベイトに装着したスナップがずれないようにする。【解決手段】スナップ（ルアー交換を容易にするためにワンタッチで行えるパーツ。ラインはスナップに結束される。）がずれないようにスナップストッパーをワイヤーベイトに装着する。前記スナップストッパーは軟質素材で形成され、リング状をしている。【選択図】図４
0003122650.tif 000002
【実用新案登録請求の範囲】
【請求項１】
軟質素材で形成され、リング状の外形をなし、中心軸にワイヤーベイトのライン結束部を通す穴を設けたことを特徴とするスナップストッパー。
【考案の詳細な説明】
【技術分野】
【０００１】  本考案は、ワイヤーベイトに装着したスナップがずれるのを防ぐためである。
【背景技術】
【０００２】  従来スナップは、図４のように単にワイヤーベイトのライン結束部に取り付けるだけだった。その為、キャスティング時に図５のようにスナップがライン結束部からずれた。
【考案の開示】
【考案が解決しようとする課題】
【０００３】  解決しようとする問題点は、キャスト時にスナップがワイヤーベイトのライン結束部からずれる点である。本考案はスナップがずれるのを防ぐ事を目的に考案された。
【課題を解決するための手段】
【０００４】  上記目的を達成するために、本考案スナップストッパーは軟質素材で形成され、リング状又であることを特徴とする。本考案スナップストッパーをライン結束部に装着することにより、スナップがずれるのを防ぐことが出来る。【０００５】  図１においてスナップストッパーの形状はリング状となっているが、中心軸にワイヤーベイトのライン結束部を通す為の穴を有する形状であれば、この通りでなくてもよい。
【考案の効果】
【０００６】  以上で説明したように本考案スナップストッパーは、リング状をしており、中心軸にあいた穴にワイヤーベイトのライン結束部を通すことにより、スナップがずれるのを防ぐ事が出来る。
【考案を実施するための最良の形態】
【０００７】  本考案に係るスナップストッパー１は、図２、図３に示すようにリング状をしており、中心軸に穴があいている。その穴にワイヤーベイト３のライン結束部５を通したものが図４である。これにより、スナップの遊動を防ぎ、ずれるのを防ぐ事が出来る。
【図面の簡単な説明】
【０００８】
【図１】本考案スナップストッパーの正面図
【図２】本考案スナップストッパーの上面図
【図３】本考案スナップストッパーの断面図
【図４】本考案スナップストッパーの装着例
【図５】従来のスナップの装着例
【図６】スナップがずれた例
【符号の説明】
【０００９】１    スナップストッパー
２    スナップ
３    ワイヤーベイト
４    ライン
５    ライン結束部
【図１】
0003122650.tif 000003
【図２】
0003122650.tif 000004
【図３】
0003122650.tif 000005
【図４】
0003122650.tif 000006
【図５】
0003122650.tif 000007
【図６】
0003122650.tif 000008
(57)【要約】【課題】本考案は、アウトドア−に最適な組立て、分解が簡単で、且つマイカー等にても容易に持運びできることとする。【解決手段】厚紙、木板、合成樹脂、金属板等にて作られると共に設置される前面壁板に内側から遊戯者が覗ける高窓或いは、窓枠、棚板等の任意の造作部を装備し、前面壁板の左右に奥行きの短い側面板を連結し、更にこの奥行きと同程度の奥行きの勾配屋根板と前記前面壁板及び左右側面板と連結してアウトドア−に最適な組立て、分解が簡単で、且つマイカー等にても容易に持運びできる遊戯用模擬ハウス。【選択図】図２
0003122642.tif 000002
【実用新案登録請求の範囲】
【請求項１】
設置面に設置される前面壁板と、この前面壁板に装備され、且つ内側から遊戯者が覗ける高窓或いは、窓枠、棚板等の任意の造作部と、前面壁板の左右に連結された奥行きの短い側面板と、更にこの側面板の奥行きと同程度の奥行きであって前面壁板及び左右側面板と連結する勾配屋根板とで成し、而も前面壁板、左右側面板、勾配屋根板を厚紙、木板、合成樹脂、金属板等にて形成したことを特徴とした遊戯用模擬ハウス。
【請求項２】
前面壁板は、造作部の左右側部の垂直線上を中心に中央面部と左右面部とに３分割し、その左右面部を折り畳みできる様、中央面部とヒンジ結合したことを特徴とした請求項１記載の遊戯用模擬ハウス。
【考案の詳細な説明】
【技術分野】
【０００１】本考案はハウスに見立てて子供が屋内外にて遊ぶ遊戯用模擬ハウスに関する。
【背景技術】
【０００２】  近時、アウトドア−が活況を勢し、特に幼少の子供を持つ若い家庭において浸透している。
そこで、この幼少の子供がアウトドア−での場所において、ハウスに見立てて遊ぶ遊戯用の模擬ハウスが望まれる。
而してそれはその場所での組立て、分解が簡単で、且つマイカー等にても容易に持運びでき、嵩張らないことが不可欠となる。【０００３】  これに類する下記特許文献特開平９−９９１８２号が存在する。
即ち、硬質のモールド材、プラスチックモジューラ等にて一定モジュールのモジュラー壁板を構成し、このモジュラー壁板とモジュラーコーナー部分とを連結し、モジュラー屋根を載せ、内部に鏡、テレホン装置等の本格的遊戯具を装備し、ハウス内にて遊戯行動できることとしている。
然しながら、これらは余りにも遊戯具として逸脱した本格的なもので、到底その場所での組立て、分解が簡単には行えず、到底国内に普及しているマイカー等にては持運びできない。勿論、コストも高い。
【特許文献】特開平９−９９１８２号
【考案の開示】
【考案が解決しようとする課題】
【０００４】  本考案は、アウトドア−に最適な組立て、分解が簡単で、且つマイカー等にても容易に持運びできることとする。
【課題を解決するための手段】
【０００５】  以上を解決するため本考案は、前面壁板に内側から遊戯者が覗ける高窓或いは、窓枠、棚板等の任意の造作部を装備し、前面壁板の左右に奥行きの短い側面壁板を連結し、更にこの奥行きと同程度の奥行きの勾配屋根板と前記前面壁板及び左右側面板と連結して厚紙、木板、合成樹脂、金属板等にて形成したものであって、アウトドア−に最適な組立て、分解が簡単で、且つマイカー等にても容易に持運びできる安価な遊戯用模擬ハウス。
【考案の効果】
【０００６】（１）請求項１により、高窓或いは、窓枠、棚板等の任意の造作部を装備すると共に設置される前面壁板と、前面壁板の左右に連結された奥行きの短い側面板と、更にこの奥行きと同程度の奥行きで、而も勾配屋根板と前記前面壁板及び左右側面板とを連結すると共に、それら板を厚紙、木板、合成樹脂、金属板等にて形成したから、軽量で、而も組立て分解が簡単に行えるからアウトドアーに最適であって、且つマイカー等にても容易に持運びできる。【０００７】（２）請求項２により、前面壁板は、造作部の左右側部の垂直線上を中心に中央面部と左右面部とに３分割し、その左右面部と中央面部とをヒンジ結合したから、セットする時は単に広げればよく、また撤去時は簡単に折り畳むことができ、アウトドア−に一層最適となる。
【考案を実施するための最良の形態】
【０００８】  以下に本考案を実施例に基づいて説明する。
図１に示す如く、遊戯用模擬ハウス本体Ｈは、厚紙、木板、合成樹脂、金属板等にて作られると共に、アウトドア−での場所或いは室内の設置面Ｅに設置される。具体的には前面壁板１と、この前面壁板１の左右に連結された奥行きＳの短い側面板２と、更にこの側面板２の奥行きＳと同程度の奥行きＲで、而も前面壁板１及び左右側面板２、２と連結する勾配屋根板３とで構成している。【０００９】  この両奥行きＲ、Ｓとの差が軒先３ａをイメージする。
而して、前面壁板１には遊戯者Ｍがハウス本体Ｈの室内側、即ち前面壁板１の内側Ｈａから外側Ｈｂを覗ける高窓４及びその観音開きドア−５、窓枠６、棚板７等の任意の造作部Ｘを装備している。
この前面壁板１は、造作部Ｘの左右側部の垂直線Ｚ−Ｚ上を中心に中央面部１ａと左右面部１ｂ、１ｂとに３分割し、その左右面部１ｂ、１ｂと中央面部１ａとを折り畳みできる様、ヒンジ８にて結合している。
勿論、勾配屋根板３も同様に折り畳む様にしてもよく、又勾配屋根板３のみ独立して取外すこととしてもよい。【００１０】  図５は前面壁板１、左右側面板２、２を厚紙、合成樹脂にて一体的に形成し、薄肉部９としている。又、図６は木板、金属板に対応し、リング１０としている。而して図３が折り畳んだ状態図、図７は観音開きドア−５に替え、カーテン１１としている。
勿論、本考案に係る遊戯用模擬ハウスの設置は、前述の通りアウトドア−での屋外の場所に限らず、屋内でもよいのは当然である。
【図面の簡単な説明】
【００１１】
【図１】本考案遊戯用模擬ハウスの正面図
【図２】同上の使用状態を示す斜視図
【図３】同上の折畳んだ状態を示す斜視図
【図４】断面側面図
【図５】部分拡大断面図
【図６】異なる実施例を示す部分拡大断面図
【図７】本考案遊戯用模擬ハウスの異なる実施例を示す正面図
【符号の説明】
Ｈ    遊戯用模擬ハウス本体
１    前面壁板
２    左右側面板
３    勾配屋根板
Ｘ    造作部
８    ヒンジ
【図１】
0003122642.tif 000003
【図２】
0003122642.tif 000004
【図３】
0003122642.tif 000005
【図４】
0003122642.tif 000006
【図５】
0003122642.tif 000007
【図６】
0003122642.tif 000008
【図７】
0003122642.tif 000009
(57)【要約】【課題】  本考案は、コンクリート製残存型枠にインサートナットを付けて法面足場縦部材をボルトで固定して足場板が安定して水平状態に保つことをする。【解決手段】  本考案は冶水ダム、堰堤の表面をコンクリート製残存型枠にて構築するには高所作業ために足場が必要となるので法面に足場を取り付ける為には、残存型枠にインサートナット１を付けて法面足場縦部材８をボルト７で固定し足場支持枠８に足場板１０を敷いた時に水平にするには、インサートナット１の位置を同じにする事と、石６の表面の高を一定にする事で石６と法面足場縦部材８の接地面が良くなり安定した状態で固定され足場板１０が水平状態を保つので安全に工事が施工でき、地面の整地も無く経費の節減に役立つ。【選択図】図５
0003122647.tif 000002
【実用新案登録請求の範囲】
【請求項１】
コンクリート製残存型枠に法面足場の縦部材をボルトで固定して、足場支持部材の上に足場板を敷き水平状態を保つことができるインサートナットを付けたことを特徴とするコンクリート製残存型枠。
【考案の詳細な説明】
【技術分野】
【０００１】  本考案は、コンクリート製残存型枠に法面足場をボルトで固定するインサートナットを付けた事に関するものである。
【背景技術】
【０００２】  コンクリート製残存型枠は、冶山ダム、堰堤及び擁壁等のコンクリート構造物を施工する際に型枠として使用し、現場打ちコンクリート構造物の表面を形成すると共に構造物の一部として構築され残存させるようにしたものである。【０００３】  コンクリート製残存型枠は、上記のように施工、構築する際には提体内での作業に限定しているので足場を必要としない考えの製品が多く、足場構築の為に必要な装備がない。
【考案の開示】
【考案が解決しようとする課題】
【０００４】  しかし、高所作業で足場の必要性が生じた時、従来は、足場建枠を地上に立て設置し組立てるものであり、設置後に足場建枠と残存型枠を固定するものがなく足場建枠が傾くおそれがある。【０００５】  治山ダム、堰堤の施工現場では、地面が平坦でなく岩や石などで凸凹の施工場所が多く、その為に足場建枠を設置する為には、地面整地に時間と費用が掛かり、足場板を水平状態にするのが困難である。【０００６】  従来の足場では、治山ダム、堰堤法面角度の緩やかな施工現場では、高くなるにしたがって足場と法面が離れて危険で作業が出来なくなる。又、法面足場を使用すれば法面と足場が離れることも無く安全に作業ができる装備がない。
【課題を解決するための手段】
【０００７】  本考案は、コンクリート製残存型枠に法面足場を固定するには、インサートナットをコンクリート製残存型枠に付けて法面足場の縦部材をボルトで固定し足場支持部材に足場板を取り付けることで上記課題を解決するものである。
【考案の効果】
【０００８】  上述の様に、本考案のインサートナット付きコンクリート製残存型枠は治山ダム、堰堤を施工するには、高所作業の為に転落防止など安全に特に注意をしなければいけない、その為には足場が必要である。  残存型枠に直接足場を取り付けることで法面と足場が離れることも無く安定した状態になり、又、地面整地の必要も無く経費削減となり安全にも充分に配慮することで工事の施工に役立つ。
【考案を実施するための最良の形態】
【０００９】  コンクリート製残存型枠を製造する時に、インサートナットの取り付け位置が一定になるには、図１の形状した台座金具にインサートナットをセットする為のセットボスを取り付け、台座金具を型枠内にボルトで固定して、インサートナットを付け固定することで残存型枠表面のインサートナットが同じ位置になる。【００１０】  コンクリート製残存型枠の表面を石張りにした残存型枠は製造の時に、石と石の隙間にインサートナットを取り付け、石の表面の高さを一定にすることで、石と法面足場縦部材の接地面が良くなり安定した状態を保つことができる。【００１１】治山ダム、堰堤法面角度の緩やかな施工現場でも残存型枠と足場が離れることがなく固定でき、安定した状態で足場が設置できる。【００１２】  治山ダム、堰堤のコンクリート打設は、通常は１ｍピッチでコンクリートを打ち上げ施工し、残存型枠も同様に並行して高く積み上げるので足場が必要となり、インサートナット付きコンクリート残存型枠に法面足場の縦部材をボルトで固定して、足場支持部材に足場板を敷くことで残存型枠の継ぎ目や水抜き穴の補修など高所の作業が安全に施工することができる。
【実施例】
【００１３】  以下、添付書類に従って一実施例を説明する。図１は台座金具３にセットボス２に取り付けインサートナット１をセットする台座金具３であり、又、同じ長さの台座金具３にすることで石張り残存型枠のインサートナット１の取り付け位置は、一定の間隔と同じ高さの位置にすることができる。【００１４】  図２は石張り残存型枠を製造するには、台座金具３を型枠１３内側にボルト７で固定し石６と石６の隙間にインサートナット１を台座金具３にセットして、石６の出を均等になる様にして砂を入れ水締めしてコンクリート４を打説するのでインサートナット１がコンクリート４に沈むことなく製造ができる。【００１５】  図３は石張り残存型枠の表面図で石６と石６の隙間にインサーチナット１を付けている位置を同じにすることで法面足場を取り付けた時に足場板１０が水平状態を保つことができる。【００１６】  図４はコンクリート製残存型枠のコンクリート面に設置したインサートナット１に、法面足場縦部材８をボルトで固定して足場支持部材９の上に足場板１０を乗せた時に水平状態になる。【００１７】  図５はコンクリート製残存型枠の表面を石張りにした残存型枠のインサートナット１に法面足場縦部材８をボルト７で固定し足場支持部材９に足場板１０を敷き水平になるように足場支持部材９のターンバックル１４を回して調整する。
【図面の簡単な説明】
【００１８】
【図１】本考案に係るセットボスを止める台座金具の図。
【図２】本考案に係るコンクリート製石張り残存型枠を製作の断面図。
【図３】本考案に係るコンクリート製石張り残存型枠の平面図。
【図４】本考案に係るコンクリート製残存型枠組み立施工した時の平面図。
【図５】本考案に係るコンクリート製石張り残存型枠に法面足場を付けた断面図。
【符号の説明】
【００１９】  １  インサートナット
２  セットボス
３  台座金具
４  コンクリート
５  砂
６  石
７  ボルト
８  縦部材
９  足場支持部材
１０  足揚板
１１  控え鉄筋
１２  挿し筋
１３  製造型枠
１４  ターンバックル
１５  手摺
【図１】
0003122647.tif 000003
【図２】
0003122647.tif 000004
【図３】
0003122647.tif 000005
【図４】
0003122647.tif 000006
【図５】
0003122647.tif 000007
(57)【要約】      （修正有）【課題】従来、読書の際にページのめくれを防ぐには、手でおさえるか、紙バサミ、クリップなどで挟んでいたが、煩わしく面倒であったので、簡単で安価なページ保持具を提供する。【解決手段】平板状素材１の一端及び他端に、Ｕ字状基部３を有するページ保持部２を接合させ、Ｕ字状基部３により発生するバネ力で本のページを抑えて保持するものとした。【選択図】図１
0003122644.tif 000002
【実用新案登録請求の範囲】
【請求項１】
平板状素材（１）の一端及び他端に、Ｕ字状基部（３）を形成したページ保持部（２）を接合手段にて結合させた本のページ保持具。
【請求項２】
ページ保持部（２）を透明としたことにより、その裏側となった文字も読み取れることを特徴とした請求項１記載の本のページ保持具。
【請求項３】
ページ保持部（２）の基部をＵ字状にすることにより、発生するバネ力で本のページを抑えるようにした本のページ保持具。
【考案の詳細な説明】
【技術分野】
【０００１】  この考案は、読書のときに本のページのめくれを防止する保持具に関するものである。
【背景技術】
【０００２】  従来は、読書の際にページのめくれを防ぐために手でおさえるか、紙バサミ、クリップなどで挟んでいた。【０００３】  先行技術文献では、比較的この考案に近いものとして次のものがある。
【特許文献１】  特開２００２−１４４７６５号広報
【特許文献２】  特開平０９−２００９１号広報
【考案の開示】
【考案が解決しようとする課題】
【０００４】  しかしながら、上記特許文献１は構造的にほとんど薄い本に用いるためのもので、又、ページ保持部が小さいために十分な保持力が得られない恐れがある。特許文献２に於いても同様に十分なものとは考えにくい。【０００５】  だからと言って、従来のようにページのめくれを手で抑えたり、クリップ等でいちいち挟んでいたのでは煩わしく面倒である。又、手でおさえている場合は手が塞がってしまう欠点がある。【０００６】  この考案は、以上の諸欠点を解決して、しかも装着簡単な本のページ保持具を提供しようとするものである。
【課題を解決するための手段】
【０００７】  平板状素材１の一端及び他端に、Ｕ字状基部３を形成したページ保持部２を設ける。
この考案は以上の構成を基本として成る本のページ保持具である。
【考案の効果】
【０００８】  この考案は、読書の際にページを手で抑えたり、クリップなどで挟む必要もなく、必然的に手が空くので仕事をしながら読書が出来る効果が生ずる。
【考案を実施するための最良の形態】
【０００９】  基本的には図２に示したページ保持部２を、平板状素材１の一端及び他端に固着した構成のものが最良の形態と考える。【００１０】  ページ保持部２は、透明素材を使用したことで裏側の文字を読むことができる。従って大型とすることが出来るので保持力を増すことになり、殆どの本の大きさに対応できることは大きな特徴と言える。【００１１】  又、ページ保持部２の先端は、図２に示した反り返り部４を設けて、めくられたページを差込み易くすることにより、ページ保持部２を持ち上げる必要も無く、片手でも一連の動作が出来る。【００１２】  更に、Ｕ字状基部３を設けることにより、バネ力が発生し本のページが抑えられるのである。
【実施例１】  以下に、この考案の実施例を図面に基づいて説明する。図１に示すように、ページ保持部２を、平板状素材１の一端及び他端に固着させる。ページ保持部２は透明素材を使用しＵ字状基部３はハトメ式にて平板状素材１と結合させた。他に接着剤を使用する方法もある。そして、材質は、プラスチック製が好ましいものといえる。
【実施例２】
【００１４】  平板状素材１は、通常、開かれた本を収納出来る長さの一枚板であるが、これを折りたたみ式として携帯に便利とした方法もある。
【図面の簡単な説明】
【００１５】
【図１】この考案の実施例を示す斜視図である。
【図２】この考案のページ保持部２の拡大斜視図である。
【符号の説明】
【００１６】  １  平板状素材
２  ページ保持部
３  Ｕ字状基部
４  反り返り部
【図１】
0003122644.tif 000003
【図２】
0003122644.tif 000004
(57)【要約】【課題】実装／外しが非常に簡単かつ快速にできるコンピュータのメンフレームの裏側板を提供する。【解決手段】主として、裏側板をコンピュータのメンフレームの枠体の裏側に実装する時、裏側板のあごを枠体の受け穴に挿入して、裏側板を上へ押すと、裏側板の上端の係止槽に、押しブロックの係合フックの斜面により、係合フックが係止され、裏側板を外す時、押しブロックを押すと、係合フックが裏側板の係止槽から外れ、裏側板のあごが、下へ移動して枠体の受け穴から外れて、裏側板が外される。【選択図】図２
0003122253.tif 000002
【実用新案登録請求の範囲】
【請求項１】
コンピュータのメンフレームの裏側板の実装構造であって、
裏側の両端に、それぞれ、少なくとも一つの受け穴が設けられ、裏側の上端に挿入層があり、内部に上枠と内枠がある枠体と、
内側の両端に、上記の枠体の受け穴に係合する少なくとも一つのあごがあり、上部の内側に係止槽がある裏側板と、
枠体の挿入層に挿入され、その上端の裏側に、枠体の上枠の内側に軸支されるシャフトがあり、底端に、裏側板の係止槽に係止される係合フックがあり、係合フックの裏側に、枠体の内枠に抵当する弾性素子がある押しブロックと、
が含有される、
ことを特徴とするコンピュータのメンフレームの裏側板の実装構造。
【考案の詳細な説明】
【技術分野】
【０００１】
本考案は、コンピュータのメンフレームの枠体に裏側板が実装される構造に関する。
【背景技術】
【０００２】
一般の、従来のコンピュータのメンフレームの枠体の裏側に実装される裏側板は、主として、ネジにより、枠体に固定され、このような実装／外し方式は、時間が掛かるし、また、ねじ回し等のツールを使用しないと実装／外しできず、非常に面倒なことである。
【考案の開示】
【考案が解決しようとする課題】
【０００３】
本考案の主な目的は、簡単且つ快速に裏側板がコンピュータのメンフレームに実装されるコンピュータのメンフレームの裏側板の実装構造を提供する。
【課題を解決するための手段】
【０００４】
本考案は、コンピュータのメンフレームの裏側板の実装構造であって、裏側の両端に、それぞれ、少なくとも一つの受け穴が設けられ、裏側の上端に挿入層があり、内部に上枠と内枠がある枠体と、内側の両端に、上記の枠体の受け穴に係合する少なくとも一つのあごがあり、上部の内側に係止槽がある裏側板と、枠体の挿入層に挿入され、その上端の裏側に、枠体の上枠の内側に軸支されるシャフトがあり、底端に、裏側板の係止槽に係止される係合フックがあり、係合フックの裏側に、枠体の内枠に抵当する弾性素子がある押しブロックと、が含有されることを特徴とするコンピュータのメンフレームの裏側板の実装構造である。
【考案を実施するための最良の形態】
【０００５】
本考案は、図１、２のように、コンピュータのメンフレームの枠体１０の裏側に裏側板２０が実装され、枠体１０の裏側の両端に、それぞれ、複数の受け穴１１が設けられ、裏側板２０の内側の両端に、受け穴１１に対応する位置に、複数のあご２１が突出し、逆Ｌ形状のあご２１が枠体１０の受け穴１１に挿入し、裏側板２０が下から上へ押されると、あご２１が枠体１０の受け穴１１に係合し、当該裏側板２０が押しブロック３０の底端にある係合フック３２により枠体１０に係合され、図３と４のように、押しブロック３０の上端の裏側に、シャフト３１があり、底端に係合フック３２があり、係合フック３２の裏側に、湾曲された弾性素子３３があり、図５のように、押しブロック３０が枠体１０の上端の中央にある挿入層１２に挿入すると、そのシャフト３１が、枠体１０の上枠１３の内側に軸支し、係合フック３２の裏側にある弾性素子３３が、枠体１０の内枠１４に抵当し、押しブロック３０の係合フック３２は、一端に斜面３２１があるため、容易に裏側板２０の上部の内側にある係止槽２２に係止される。
【０００６】
図６と７のように、ユーザーが裏側板２０を外す時、押しブロック３０を押すと、押しブロック３０が、シャフト３１を中心とし、下へ変位し、それとともに、弾性素子３３が押され、これにより、係合フック３２が、裏側板２０の係止槽２２から外れ、裏側板２０が、下へ落ち、また、その両側のあご２１と枠体１０受け穴１１との係合が外れられ、裏側板２０が外される。
【０００７】
本考案は、以上のように、裏側板を実装する時、裏側板のあごを枠体の受け穴に挿入して上へ押すことだけで、裏側板を外す時、押しブロックを押すだけで、そのため、裏側板の実装／外しが非常に簡単且つ快速である。
【図面の簡単な説明】
【０００８】
【図１】本考案の外観図
【図２】本考案の裏側板の分解図
【図３】本考案の押しブロックの外観図
【図４】本考案の押しブロックの他の外観図
【図５】本考案の裏側板が枠体に係合される時の一部断面図
【図６】本考案の実施例図
【図７】本考案の裏側板を外す時の一部断面図
【符号の説明】
【０００９】
１０  枠体
１１  受け穴
１２  挿入層
１３  上枠
１４  内枠
２０  裏側板
２１  あご
２２  係止槽
３０  押しブロック
３１  シャフト
３２  係合フック
３２１  斜面
３３  弾性素子
【図１】
0003122253.tif 000003
【図２】
0003122253.tif 000004
【図３】
0003122253.tif 000005
【図４】
0003122253.tif 000006
【図５】
0003122253.tif 000007
【図６】
0003122253.tif 000008
【図７】
0003122253.tif 000009
(57)【要約】      （修正有）【課題】トレーとトレーに載せる食器を効果的に定位するべ、食器定位機能を具有するトレーの構造を提供する。【解決手段】トレー１の表面１０に一つ以上の半円形の突起１１を設け、食器２の底部には該突起に対応した窪み２０を設け、該突起１１と該窪み２０を相互に嵌合することで、該トレー上１にて該食器２を定位する。【選択図】図１
0003122231.tif 000002
【実用新案登録請求の範囲】
【請求項１】
トレーと食器とより構成される食器定位機能を具有するトレーの構造において、
表面に一つ以上の半円形突起を具有する該トレーと、
底部に半円形の窪みを具有し、該半円形の突起上に設置される該食器と、
を具有し、該食器底部の窪みと該トレー表面の突起を相互に嵌合し、該トレー上にて該食器が定位され、食器がトレー上で滑って移動したり倒れて食品がこぼれたり溢れるのを防止することを特徴とする食器定位機能を具有するトレーの構造。
【考案の詳細な説明】
【技術分野】
【０００１】
本考案は食器定位機能を具有するトレーの構造に係り、特にトレー表面に半円形突起を設け、これに対応する食器の底部には半円形の窪みを設けることにより、食器をトレー上に定位する機能を具有するトレーの構造に関わる。
【背景技術】
【０００２】
一般のトレーとは表面が平たく、その平たい表面に茶碗や皿等の食器を置いて運ぶのに使用する。
【考案の開示】
【考案が解決しようとする課題】
【０００３】
しかし上述のような公知におけるトレーを使用する際、トレーを持ち上げる等の動作によりトレー上の食器が固定されていないことから、食器内の食品が溢れたりこぼれたりし易い。ひどければ食器がトレーから落ちてしまい、食器も食品も地面にばら撒いてしまうといったこともしばしば見受けられる。
そこで上述の欠点に鑑み、トレーとトレーに載せる食器を効果的に定位するべく本考案の食器定位機能を具有するトレーの構造を提供する。
【課題を解決するための手段】
【０００４】
トレーと食器を定位すべく、該トレー表面には一つ以上の半円形突起を設け、食器の底部には該突起に対応する半円形の窪みを設け、これらを相互に嵌合することで、複数の大小の異なる食器を一つのトレー上に定位する構造とする。
【考案の効果】
【０００５】
本考案によると、簡単な構造によりトレー上の食器が容易に定位されることで、使用時に食器が滑ったり落ちたりするのが効果的に防止され、使用上の実用性が高められた。
【考案を実施するための最良の形態】
【０００６】
図１，２に示すように、本考案には平たいトレー１を具有し、該トレー１の表面１０には一つ以上の半円形の突起１１、並びに茶碗や皿等の食器２を設け、該トレー１の半円形突起１１上に該食器２を置いて使用するが、該食器２の底面には半円形の窪み２０が設けられ、該窪み０では該トレー１の半円形突起１１が嵌合する個所を提供しており、これにより該食器２が該トレー１に定位される構造を具有する。
【０００７】
該半円形の突起１１とこれに対応する窪み２０の構造を具有する本考案のトレー１及び食器２を使用するには、先ず該食器２を該トレー１に置き、次に該食器２底部の窪み２０と該トレー１の半円形突起１１とを相互に嵌合することにより、該食器２が該トレー１上でしっかりと固定され、該食器２が滑って移動したり倒れたりすることにより、食器に盛られた食品がこぼれたり漏れたりしないようにする。
【０００８】
また本考案は該トレー１上に一つ以上の突起１１を設けることで、該トレー１上に同時に大小の異なる複数の食器２を載せることができる構造を呈し、こうすることで例えば定食やセットメニューを提供する際、異なる大小の食器を一つのトレー１上にて定位するのを便利にする。
【図面の簡単な説明】
【０００９】
【図１】本考案の立体構造図である。
【図２】本考案組み立て後の断面図である。
【符号の説明】
【００１０】
１  トレー
１０  トレー表面
１１  半円形突起
２  食器
２０  半円形の窪み
【図１】
0003122231.tif 000003
【図２】
0003122231.tif 000004
(57)【要約】【課題】  本考案は、壁紙をカットする時にカッターを案内するための道具で、ヘラ板に複数の適宜の穴を設けた、地ベラに関するものである。  従来の壁紙カット用の地ベラは壁紙を貼る時にはみ出した余分な部分に地ベラを押し当て、カッターナイフでカットする際に用いられているが、地ベラは長時間使用するにも関わらず軽量化が図られていなかった。また、壁紙カットの際、ヘラ板を壁紙に押し当てた時にヘラ板により、壁紙に死角の部分が出来た。  本考案は壁紙カットの際、ヘラ板で壁紙が死角になるのを防ぐのと、地ベラ本体の軽量化が目的である。【解決手段】  本考案は握持部１とヘラ板３より成る地ベラに於いて、ヘラ板３に複数の適宜穴４を設けて、地ベラ本体の軽量化と、ヘラ板３の穴４を通して壁紙カットの際の死角をなくした。【選択図】  図１
0003122234.tif 000002
【実用新案登録請求の範囲】
【請求項１】
握持部とヘラ板より成る地ベラに於いて、ヘラ板に複数の適宜の穴を設けたことを特徴とする壁紙カット用地ベラ。
【考案の詳細な説明】
【技術分野】
【０００１】
本考案は、壁紙をカットする時にカッターを案内するための道具で、ヘラ板に複数の適宜の穴を設けた、地ベラに関するものである。
【背景技術】
【０００２】
従来の壁紙カット用の地ベラは壁紙を貼る時にはみ出した余分な部分に地ベラを押し当て、カッターナイフでカットする際に用いられているが、地ベラは長時間使用するにも関わらず軽量化が図られていなかった。また、壁紙カットの際、ヘラ板を壁紙に押し当てた時にヘラ板により、壁紙に死角の部分が出来た。
【特許文献１】実開平０６−０６４７７５
【考案の開示】
【考案が解決しようとする課題】
【０００３】
従来の壁紙カット用の地ベラは、地ベラ本体の軽量化が図られていなかったので、作業者が長時間の作業で腕、手首等への負担が大きくなる。また、壁紙カットの際、ヘラ板を壁紙に押し当てた時、ヘラ板で死角になった壁紙にしわ浮きが出ていても見過ごして作業を進めてしまうという問題がある。本考案は、上記の問題点を解決するために、壁紙貼りの作業を迅速、的確に行うことができる壁紙カット用地ベラを提供することを目的としたものである。
【課題を解決するための手段】
【０００４】
本考案は、握持部とヘラ板から成る地ベラに於いて、薄肉のステンレス板等でなる金属板を切削加工等してなるヘラ板に複数の適宜の穴を設け、問題点を解決している。
【考案の効果】
【０００５】
上記の様に、本考案の壁紙カット用地ベラは、金属板を切削加工して形成されたヘラ板に複数の穴を設ける事により、ヘラ板の厚みを変更することなく地ベラ本体の重量が軽減されるので、長時間の壁紙貼りの作業において作業者の腕、手首の負担が少なくなる。また、壁紙カットの際、ヘラ板を壁紙に押し当てカッターナイフの刃先を前記ヘラ板の刃先部に当接させつつ沿わせるように余分な壁紙を切り落とす時、ヘラ板により壁紙に死角の部分が出来ていた。しかし、ヘラ板に複数の適宜の穴を設けたことにより、前記穴より視界が広がるので壁紙のしわ浮き等が発生していた場合でも、従来のようにしわ浮きを見過ごして作業を進めてしまうことがなく、すぐにヘラ板の刃先部で、撫で押さえ壁紙のしわを延ばして接着を確実に行い、次の作業に進めるので、壁紙貼り作業が迅速且つ壁紙のしわ浮きがなくなって外観が良くなる。
【考案を実施するための最良の形態】
【０００６】
巾広状の支持基板部の上方の中央より握持部を立上がり状に延出させ、薄板状の金属板を切削加工等してなるヘラ板に複数の適宜の穴を設け、前記のヘラ板を支持基板部の下方部にリベット等で固定したものである。
【実施例】
【０００７】
以下、添付図面に従って一実施例を説明する。１は木製、プラスチック等で形成した握持部で巾広状の支持基板部２の上方の中央より立上がり状に延出されている。
【０００８】
３はステンレス等の薄板状の金属板を切削加工等して形成されたヘラ板である。このヘラ板には、複数の適宜の穴４が設けられており、支持基板部２の下方部にリベット等で固定されている。
【産業上の利用可能性】
【０００９】
本考案は、以上のような構成であるから壁紙カットの際、従来はヘラ板で死角になってしまう部分が、ヘラ板に穴を設けたことにより視界が広がり、また、地ベラの軽量化にも繋がる。
【図面の簡単な説明】
【００１０】
【図１】本考案の壁紙カット用地ベラの実施例を示す正面図である。
【図２】本地ベラの一部切欠断面図である。
【符号の説明】
【００１１】
１  握持部
２  支持基板部
３  へラ板
３a  ヘラ板の刃先部
４  穴
５  リベット
【図１】
0003122234.tif 000003
【図２】
0003122234.tif 000004
(57)【要約】【課題】  有機フイルム廃棄物の搬送において、その効率的な搬送を行うために、減容が必要であり、空間になるべく多くのものを詰め込むことが必要である。しかるに、使用済みのフイルムは、乱雑に扱われる。従って内部に空間を作りやすく、プレス圧縮の方法では、内部の空気が排出されていないために、嵩比重が０．２程度の値にとどまり、運搬の効率が低下していた。【解決手段】  この方法を改良するものとして、プレス加工前に事前にフイルム廃棄物に穿孔することで内部に空気の溜めを形成せずにプレス作業で排気できるので、簡単に減容が可能になる。  その結果、嵩比重も従来０．２程度から０．４まで向上させることができるので、コンテナー搭載量が倍加することになり、運送コストの低減ができる。【選択図】図１
0003122210.tif 000002
【実用新案登録請求の範囲】
【請求項１】
外面に多数の突起を有するローラーと、対向する網状のローラーから構成され、有機廃棄物をこの２つのローラー間を通して廃棄物に孔を開けることによって、この作業後に行うプレス工程において効率良く孔から空気が抜け、結果として減容された廃棄物パッケージが完成することを特徴とする穿孔装置。
【請求項２】
請求項１記載の装置において、穿孔後の処理が簡便なように突起の配置を線状に配列し、対向する網状ローラーではその突起の当たる部分を折り曲げるか凹形状に工作することによって逃げを構成し、廃棄物が本装置に張り付くことが無いように配慮された穿孔装置。
【考案の詳細な説明】
【技術分野】
【０００１】  廃棄物の運搬において、減容により一度に運搬できる重量を上げることによって運搬作業の効率化を図ることが要求される。
【背景技術】
【０００２】  フイルムという特性から、生産された状態では可能ではあるものの、すでに使用済みで廃棄されたものを丁寧に折りたたむことはほとんど不可能である。従ってこれらの廃棄物は雑然と積み重ねることになるが、これら廃棄物を収集する場所とそれを処理する場所が異なっている場合、輸送という作業が発生する。輸送を効率良く実施する場合に、従来から加圧装置を用いて減容を行う作業が一般的であった。
フイルム以外の廃棄物の場合は、加熱により水分を除去して軽量化するなどの方法が採用されている。
【課題を解決する手段】
【０００３】  このようなプレスによる減容をする場合に、加圧時に空気を効率良く抜くことが必要になってくる。
【０００４】  従来、減容効率を上げるために、減容のための加圧力を大きくするということが行われ、加圧減容の状態を保持するために加圧状態のままで番線を使って押さえ込むという方法が採られてきた。しかしながらこの方法では、加圧されたままの空気が残存してしまうためにその圧力に番線の強度が追いつかず、切れてしまうような事態が生じたり、あるいは番線で抑えられていない場所が膨らんでしまうという事態が生じ、最終的には効果的な減容がなされないということが起こっていた。
【０００５】  このような、簡便でかつ作業性が向上できる手段として、図１に示す構造体を作製した。この構造体は、１のローラー、２の網製のローラー、３の駆動用モーター、４の駆動伝達機器により構成される。
【０００６】  この構造体の使用方法は以下に記述する方法による。すなわち、穿孔したい有機フイルム廃棄物を図の左側より挿入し、ローラー間を通す。ローラーを通った廃棄物を図の右側で受けて塊とする。
【０００７】  この操作によって、フイルム上に穿孔されて、この孔によって空気を外に排出することが容易になる。
【０００８】    この突起形状は、断面として丸が望ましいが、星型であっても良く、また、先端が細くなる形状でも一定形状でも良い。しかしながら穴あけの効率は、先端が細い方が高い。
【考案の効果】
【０００９】  このようにして、穿孔された廃棄物フイルムはその後で従前のとおりのプレス機械での圧縮を行った場合に、孔からの空気の抜けが効率よく実施できるので、従前のような強力なプレスを使用する必要が無く、内部の空気が抜けた状態を実現できる。
【実施例１】
【００１０】  本考案になるシステムによって、有機物フイルム廃棄物において従来のプレスによる減容の方法では嵩比重が０．２程度までしか減容できなかったものがこの方法によって０．４以上の値になった。
【図面の簡単な説明】
【００１１】
【図１】本考案の実施形態を示す穿孔装置の正面図
【符号の説明】
【００１２】  １    ローラー
２    網製ローラー
３    駆動用モーター
４    駆動力伝達機構
【図１】
0003122210.tif 000003
(57)【要約】【課題】  二つ折式携帯電話を元来のケースに入れる事により、失われてしまう、欠点を解決する事を提供する。【解決手段】開口部を設けてある、伸縮帯の付いたケースに二つ折式携帯電話を入れ、手首に装着する事を特徴とする、手首装着式二つ折式携帯電話用携帯ケース。【選択図】図１
0003122207.tif 000002
【実用新案登録請求の範囲】
【請求項１】
二つ折り式携帯電話をケースに入れて、手首に伸縮性の帯で固定をする事により、片手で電話を取り出す事が出来、ケース前面に開口部を設ける事により、携帯電話のサブ画面を見る事も出来て側面に開口部を設ける事で、携帯電話側面に付いているボタン機能も操作出来る事を特徴とした手首固定式二つ折式用携帯電話ケース。
【考案の詳細な説明】
【技術分野】
【０００１】本考案は、二つ折り式携帯電話を手首に装着する携帯ケースに関するものである。
【背景技術】
【０００２】従来、携帯電話のケースは、腰のベルトに装着したり、首からストラップを使用して吊るしていた。
【考案の開示】
【考案が解決しようとする課題】
【０００３】そのために次のような問題点があった。
（イ）  携帯電話の電話着信時や時計機能を見る時に上着をまくったり、ストラップの紐を手でたぐり寄せたりして携帯ケースを出さなくてはならないケースが多々ありわずらわしかった。
（ロ）  携帯電話の側面に付いているボタンの操作をするために毎回携帯電話を取り出さなくてはならず、面倒であった。
（ハ）  ベルトやストラップを介してケースが装着されているために、バイブレーター機能にした時に振動が伝わりづらかった。
本考案は、以上の問題点を解決するためになされたものである。
【課題を解決するための手段】
【０００４】手首に二つ折式携帯電話用のケースを装着する、ケースに開口部を設ける。以上を特徴する手首装着式二つ折り式用携帯電話ケースである。
【考案の効果】
【０００５】ケースを手首につけている事により、バイブレーター機能の際は、分かり易くそしてケースに前面に開口部を設ける事で、サブ画面を見る事ができる、また、側面に開口部を設ける事で、携帯電話の側面ボタンの操作ができるさらに、手首に装着しているので電話の取り出しも簡単にできる。
【考案を実施するための最良の形態】
【０００６】以下、本考案の実施の形態を説明する
（イ）  伸縮帯（１）を手首に巻きつけて、マジックテープ（２）でこれを装着し、本体（３）に携帯電話のサブ画面の時計表示や着信表示が見ることが出来るように、前面に開口部（６）を設ける。
また、手首に伸縮帯（１）により、固定される事で、電話を取り出す際に中指と薬指を使い、開閉蓋（４）を開く事ができ、すばやく、電話に対応できる。
（ロ）  携帯電話の側面のボタン操作が出来るように、本体（６）の側面に開口部（７）を設ける。
（ハ）  手首に携帯ケースが伸縮帯（１）により直接身に着くようにした、その事で、バイブレーター機能の振動が、感じ取り易くなった。
【図面の簡単な説明】
【０００７】
【図１】本考案の斜視図
【図２】本考案の蓋開放時の斜視図
【図３】本考案の側面図
【図４】本考案の蓋開放時の側面図
【図５】本考案の裏面図
【図６】本考案の蓋開放時の裏面図
【図７】本考案の装着状況を示す前面図
【図８】本考案の装着状況を示す側面図
【図９】本考案の使用状況を示す前面図
【符号の説明】
１  伸縮帯
２  マジックテープ
３  ケース本体部
４  開閉蓋
５  開閉蓋留めスナップ
６  前面開口部
７  側面開口部
【図１】
0003122207.tif 000003
【図２】
0003122207.tif 000004
【図３】
0003122207.tif 000005
【図４】
0003122207.tif 000006
【図５】
0003122207.tif 000007
【図６】
0003122207.tif 000008
【図７】
0003122207.tif 000009
【図８】
0003122207.tif 000010
【図９】
0003122207.tif 000011
(57)【要約】【課題】本考案のノズルの吸込口は外方向に向かって膨らみを設けた仕切板、スリット幅は上流口を広く、中間を狭く、出口を広く構成した特長を設けて吸引力の能力を高め掃除洗浄液を吸込む、同時にノズルの吸取り口からのたれ下がりを防止する。【解決手段】本考案はノズル１の吸込口に仕切板と、スリットを設け、掃除機本体の吸引がスリットの狭い部分を通過するとき吸引は更に高められる、ノズル吸入口の接面部にも高められた吸引力が得られる。作業時間の短縮、掃除洗浄液の使用の減量、設備投資の軽減、また自動車用専用ノズルで掃除洗浄するとフロアーカーペット、シート生地の繊維の膨らみも再生が出来る。【選択図】図２
0003122202.tif 000002
【実用新案登録請求の範囲】
【請求項１】
掃除洗浄液を吸引するノズルに、複数の仕切板を適度な間隔で設け、隣接する仕切板との間にスリットを設けたものにおいて、前記、仕切板の各１枚ずつの形状は、外方向に向かって膨らみを設け、スリットの幅は、吸込み口は広く中間部を狭く、出口を広く構成したところを特徴とする掃除機の自動車専用ノズル。
【考案の詳細な説明】
【技術分野】
【０００１】  本考案は、掃除機吸込みノズル及び吸込口部に仕切板を設け、スリットを形成したノズルに関するものである。
【背景技術】
【０００２】  自動車の車内洗浄掃除でフロアーカーペット、シート汚れを除去する場合、自動車専用の掃除洗浄液をフロアーカーペット、シートへ直接に散布して吸引洗浄の方法や、洗浄掃除するための作業で多様な自動車専用掃除機を用いて掃除洗浄液と汚れを取り除く洗浄掃除を行っていた。
【考案の開示】
【考案が解決しようとする課題】
【０００３】  自動車室内のフロアーカーペット、シートの品質向上と多種化により、洗浄掃除の作業技術の向上が必要になった、消音と防熱を兼ねた厚みのある繊維質の断熱材、乗り心地の向上を高めるためのスポンジ・クッションなどが裏側及び内側に使用されている、保水性も高く、車内の洗浄掃除作業において、浸透している掃除洗浄液の除去、表面の付着した汚れの除去で、吸引作業に時間がかかることがもとより、洗浄液の除去が不十分であった。【０００４】  洗浄掃除の仕上げ作業で、乾燥に長時間が掛かることにより、乾燥させるための乾燥機器設備の負担など、労力と設備機器の投資が必要となる。従って、洗浄掃除作業の負担を軽減させるため、吸引力が強くなる構造を持ったノズルを使用することにより、前記の欠点を解決しようとするものである。
【課題を解決するための手段】
【０００５】  本考案は、強い吸引力を得るために吸込口に仕切板を設けた構造、仕切板は外方向に膨らみを設け、適度な間隔のある複数枚からなる形状であり、隣接する仕切板の間にスリットを設ける、スリットの幅は、吸込み口が広く、中間は狭く、出口を広くした構成なっている。【０００６】  吸引時はスリットの狭くなった部分には、ベンチュリ効果が働き吸引流速が増すことでより強い吸引力が得られる。また、ノズルの吸込口の吸引力はベンチュリ効果で保持されている為、ノズルを掃除面から離脱しても常に吸引力は継続している。
【考案の効果】
【０００７】  本考案のノズルは、スリットに発生するベンチュリ効果により吸引力を高めることで、フロアーカーペット、シートの表面生地の汚れや、内側や裏側に浸透した掃除洗浄液を吸込む、洗浄液が一端吸込まれるとノズルの吸込み口には吸引力が働いているため、落下、又は吸込み口より外部に流出することなく、ノズルより掃除機本体へと取り込むことが出来る。【０００８】  掃除機の自動車専用ノズルは、使用場所の形状に応じ選択する種類も必要であり、更に吸引力によりフロアーカーペット、シートの生地がほぐされ繊維の膨らみが再生できる構造が必要である。【０００９】  掃除機本体の吸引能力が向上すればノズルに働く吸引力も高くなる、スリット部に発生するベンチュリ効果で吸引速度が速まれば洗浄作業時間の短縮、掃除洗浄液の使用量の減少、乾燥時間の短縮、美観な仕上がりなどが期待できる。
【考案を実施するための最良の形態】
【０００１０】  フロアーカーペット、シート表面が保水状態になるくらいの程度に掃除洗浄液を散布し、専用掃除機にダクトホースとノズルを連結し、散布した所にノズルの吸入口面を接面部に対し平行にあてる、押える力少し加え、フロアーカーペット、シートの洗浄面をゆっくりと移動する。従ってフロアーカーペット、マットの汚れと掃除洗浄液が共に吸引し取除かれる。【０００１１】  以下、添付図面に従って一実施例を説明する。図１の１は全体図、ステンレス金属等素材で形成されたノズル、図２は吸入口の接地部にあたる横断面図、２の仕切板は外方向に膨らみを持ち複数枚で等間隔にしきる、隣接する仕切板の間が３のスリットである。仕切板の高さ４は、５のノズルの高さの半分以下の形状になっている、６はノズルの導入部分でステンレス金属等素材パイプにあたり、１の部分ノズルと溶着され全体でノズルとなっており、ノズルの外観形状は種類を持つことが出来る。【０００１２】  自動車の車種、形状も異なるため、図１の１の形状は、洗浄作業にも最適な作業が出来ることが必要である、図１の１の部分にも同様に車種・形状に適した吸込み口が必要になり、ノズルについても種類の変換が必要である。【０００１３】  ２の仕切板の構造は外方向に膨らみのある形状であるため、３のスリットの中間部は少し狭くなっている。掃除機の吸引力は７の部分にかかり、３のスリットにベンチュリ効果が発生する、３のスリットの幅は上流口を広く、中間部を狭く、出口を広く構成されているため中間部の吸引速度は高まり、上流口に強い吸引力が発生し、８のフロアーカーペット裏地繊維の断熱材、シート表面の生地、シート内側のスポンジ・クッションに浸透した掃除洗浄液を強く吸込むことが可能になる。【０００１４】  隣接する仕切板の間のスリットのベンチュリ効果により、図２の８のフロアーカーペット、シート部分から離脱しても、常時、強い吸引力が継続して働いているため、掃除洗浄液が吸入口から下がり垂れ落ちることがなく掃除機本体へ取込まれる。【０００１５】  本考案の一実施例は以上の構成からからなるものであり、ノズル本体は吸込み口の２の仕切板の形状、３のベンチュリにより強い吸引が得られ、８のフロアーカーペット、シートの表面生地の汚れと裏側の繊維質の断熱材、シート表面の汚れと、内部のスポンジ・クッションに浸透した汚れを掃除洗浄液と共に適切に吸引ノズルの吸入口から取り込むことが出来る構造をしたものである。
【図面の簡単な説明】
【０００１６】
【図１】本考案の自動車のフロアーカーッペット、シート専用クリーナノズルの実施例を示す全体図
【図２】ノズル吸引口の横断面図
【図３】ノズル吸引口の接地正面図
【符号の説明】
【００１７】１  ノズル吸入口
２  仕切板
３  スリット
４  仕切板の高さ
５  吸入口の高さ
６  導入パイプ
７  吸引ノズル内
８  フロアーカーペット、シート
【図１】
0003122202.tif 000003
【図２】
0003122202.tif 000004
【図３】
0003122202.tif 000005
(57)【要約】【課題】        バルサ材のサーフボード破損時に樹脂下に侵入する海水等からバルサ材を保護する。【解決手段】    バルサ材３の上にべんがらを含む柿渋塗料２を塗布後、グラスファイバーを含むポリエステル樹脂１で加工する。【選択図】図１
0003122206.tif 000002
【実用新案登録請求の範囲】
【請求項１】
バルサ材の表面にべんがらを含む柿渋塗料を塗布したグラスファイバー加工したサーフボード
【考案の詳細な説明】
【考案の詳細な説明】
【考案が解決しようとする課題】
【０００１】  従来、バルサ材で作成するサーフボードは、表面にグラスファイバー加工するのみで、海水等の侵入に対し耐水性、防腐性の面は跪弱で、バルサ材の腐朽という問題があった。
【課題を解決するための手段】
【０００２】上記目的を達成するために、バルサ材の表面にべんがらを含む柿渋塗料を塗布した後、グラスファイバー加工した。
【考案の効果】
【０００３】柿渋とべんがら両方に防水、防腐性があるためグラスファイバー破損個所からの海水侵入によるバルサ材の腐朽が防げる。又同時に柿渋、べんがらの持つ色により装飾性が増した。
【図面の簡単な説明】
【０００４】
【図１】  サーフボード表面の断面図である。
【符号の説明】
【０００５】  １    グラスファイバーを含むポリエステル樹脂
２    べんがらを含む柿渋塗料
３    バルサ木部
【図１】
0003122206.tif 000003